(57)【特許請求の範囲】
【請求項１】
画像を表示する画像表示手段を正面に備えた外形略板状の画像表示ユニットと、
遊技機の制御を司る基板を収納した外形略板状の第一基板ボックスおよび第二基板ボックスとを備え、
前記第一基板ボックスは、
前記第一基板ボックスを前記画像表示ユニットの背面側に固定する固定手段が設けられる１または複数の固定部と、
前記第一基板ボックスの周縁部に設けられ、前記第一基板ボックスを前記第二基板ボックスに連結する第一連結部と、
正面側に設けられた係止部と
を備え、    
前記第二基板ボックスは、
前記第二基板ボックスの周縁部に設けられ、前記第一基板ボックスの前記第一連結部に連結される第二連結部を備え、
前記画像表示ユニットは、
前記第一基板ボックスの前記固定部に設けられた前記固定手段が固定される被固定部と、
背面側の板面に設けられ、前記第一基板ボックスの前記係止部が係止される被係止部と
を備え、
前記被固定部は、前記第一基板ボックスの前記固定部に複数のパターンで対応可能な複数の位置に設けられており、
前記固定部と前記被固定部の対応のパターンを変更することで、前記画像表示ユニットに対する前記第一基板ボックスの固定位置が変化し、
前記係止部は、
前記第一基板ボックスから正面側に突出する突出部と、
前記突出部から、前記第一基板ボックスの前後方向と交差する方向に延びる延出部と、
前記延出部から背面側に突出する爪部とを備え、
前記被係止部は、
前記画像表示ユニットの背面側の前記板面に形成され、前記延出部が背面側から挿入される挿入孔と、
前記板面に形成され、前記挿入孔から挿入された前記延出部の前記爪部が前記板面の正面側から係止される被係止孔とを備えたことを特徴とする遊技機。
【請求項２】
画像を表示する画像表示手段を正面に備えた外形略板状の画像表示ユニットと、
遊技機の制御を司る基板を収納した外形略板状の第一基板ボックスおよび第二基板ボックスと、
前記画像表示手段の周囲を取り囲み、且つ前記画像表示手段を支持する枠部と
を備え、
前記第一基板ボックスは、
前記第一基板ボックスを前記画像表示ユニットの背面側に固定する固定手段が設けられる１または複数の固定部と、
前記第一基板ボックスの周縁部に設けられ、前記第一基板ボックスを前記第二基板ボックスに連結する第一連結部と
を備え、
前記第二基板ボックスは、
前記第二基板ボックスの周縁部に設けられ、前記第一基板ボックスの前記第一連結部に連結される第二連結部と、
前記第二基板ボックスを前記枠部に固定する基板ボックス固定部と
を備え、
前記画像表示ユニットは、
前記第一基板ボックスの前記固定部に設けられた前記固定手段が固定される被固定部を備え、
前記被固定部は、前記第一基板ボックスの前記固定部に複数のパターンで対応可能な複数の位置に設けられており、
前記固定部と前記被固定部の対応のパターンを変更することで、前記画像表示ユニットに対する前記第一基板ボックスの固定位置が変化し、
前記枠部は、前記固定部と前記被固定部の対応の前記パターンに応じた複数の位置に設けられた基板ボックス被固定部を備え、
前記基板ボックス固定部は、前記固定部と前記被固定部の対応の前記パターンに応じた位置にある前記基板ボックス被固定部に、固定されることを特徴とする遊技機。
【発明の詳細な説明】
【技術分野】
【０００１】
本発明は、画像表示ユニットの背面側に複数の基板ボックスを装着する遊技機に関する。
【０００２】
従来、異なる機種に対して共通に使用することができる複数の基板ボックスを、遊技機の画像表示ユニットの背面側に装着することが行われている。遊技機の機種が異なると、遊技機における画像表示ユニットの位置、画像表示ユニットのサイズ等が変化する場合がある。この場合でも、画像表示ユニットおよび基板ボックスの形状を変更することなく、複数の基板ボックスを画像表示ユニットの背面側に装着できることが望ましい。
【０００３】
例えば、特許文献１が開示する遊技機は、遊技盤の裏側で基板ボックスを保持するための基板台を備える。基板台は、画像表示手段（液晶パネル）を保持する画像表示ユニット取付台に装着される。基板台には、複数の被固定孔が設けられている。作業者は、基板台に設けられた複数の被固定孔のうち、遊技機における画像表示ユニットの位置、画像表示ユニットのサイズ等に応じた適切な被固定孔を用いて、基板台を介して基板ボックスを画像表示ユニット取付台に装着することができる。従って、基板ボックスの形状等を機種毎に変更する必要が無い。
【先行技術文献】
【特許文献】
【０００４】
【特許文献１】特開２０１０−２７３９０８号公報
【発明の概要】
【発明が解決しようとする課題】
【０００５】
特許文献１が開示する遊技機では、画像表示ユニットと基板ボックスとの間に基板台が介在する。その結果、遊技機の奥行き方向（画像表示手段の表示面に垂直な方向）の厚みが増し、画像表示ユニットの背面側のスペースを有効に活用することが困難になる。さらに、基板台を用いない場合に比べて、遊技機の構成および装着の手順が複雑になる。つまり、画像表示ユニットの背面側のスペースの確保を容易にしつつ、複数の基板ボックスを異なる機種に容易に装着することは、従来の遊技機では困難であった。
【０００６】
本発明は、画像表示ユニットの背面側のスペースの確保を容易にしつつ、複数の基板ボックスを異なる機種に容易に装着することができる遊技機を提供することを目的とする。
【課題を解決するための手段】
【０００７】
本発明の第一態様に係る遊技機は、画像を表示する画像表示手段を正面に備えた外形略板状の画像表示ユニットと、遊技機の制御を司る基板を収納した外形略板状の第一基板ボックスおよび第二基板ボックスとを備え、前記第一基板ボックスは、前記第一基板ボックスを前記画像表示ユニットの背面側に固定する固定手段が設けられる１または複数の固定部と、前記第一基板ボックスの周縁部に設けられ、前記第一基板ボックスを前記第二基板ボックスに連結する第一連結部と、正面側に設けられた係止部とを備え、前記第二基板ボックスは、前記第二基板ボックスの周縁部に設けられ、前記第一基板ボックスの前記第一連結部に連結される第二連結部を備え、前記画像表示ユニットは、前記第一基板ボックスの前記固定部に設けられた前記固定手段が固定される被固定部と、背面側の板面に設けられ、前記第一基板ボックスの前記係止部が係止される被係止部とを備え、前記被固定部は、前記第一基板ボックスの前記固定部に複数のパターンで対応可能な複数の位置に設けられており、前記固定部と前記被固定部の対応のパターンを変更することで、前記画像表示ユニットに対する前記第一基板ボックスの固定位置が変化し、前記係止部は、前記第一基板ボックスから正面側に突出する突出部と、前記突出部から、前記第一基板ボックスの前後方向と交差する方向に延びる延出部と、前記延出部から背面側に突出する爪部とを備え、前記被係止部は、前記画像表示ユニットの背面側の前記板面に形成され、前記延出部が背面側から挿入される挿入孔と、前記板面に形成され、前記挿入孔から挿入された前記延出部の前記爪部が前記板面の正面側から係止される被係止孔とを備えたことを特徴とする。
【０００８】
本発明に係る遊技機では、作業者は、固定部と被固定部の対応のパターンを適宜設定することで、第一基板ボックスの固定位置を変化させることができる。第一基板ボックスの固定位置に応じて、画像表示ユニットの設計変更を行う必要が無い。また、画像表示ユニットと第一基板ボックスとの間に基板台を介在させる必要が無いため、画像表示ユニットの背面側のスペースを有効に活用することができ、且つ、装着の手順も単純である。さらに、作業者は、第一基板ボックスの第一連結部に、第二基板ボックスの第二連結部を連結させることで、複数の基板ボックスを所定の位置に装着することができる。従って、本願発明に係る遊技機によると、画像表示ユニットの背面側のスペースの確保を容易にしつつ、複数の基板ボックスを異なる機種に容易に装着することができる。
【０００９】
また、第一基板ボックスの位置は、固定手段および第一連結部に加え、係止部によって画像表示ユニットの背面側に固定される。従って、作業者は、より強固に第一基板ボックスを装着することができる。さらに、作業者は、係止部を被係止部に係止させて、第一基板ボックスの位置決めを行った状態で、被固定部に固定手段を固定することができる。よって、作業者は、正確な位置に容易に第一基板ボックスを装着することができる。
【００１０】
また、作業者は、係止部の延出部を挿入孔から挿入し、爪部を被係止孔に正面側から係止させる。この場合、第一基板ボックスが背面側に向けて力を受けても、延出部が挿入孔と被係止孔との間の板面に接触するため、第一基板ボックスは背面側に外れ難い。従って、第一基板ボックスは、螺子等を用いることなく、係止部と被係止部によって強固に画像表示ユニットに係止される。よって、作業者は、第一基板ボックスを容易且つ強固に画像表示ユニットに装着することができる。
【００１１】
前記被係止孔は、前記画像表示ユニットに対する前記第一基板ボックスの固定位置に応じて複数の位置に設けられていてもよい。この場合、被固定部に対する固定部の対応のパターンが複数設けられていることに加え、被係止孔に対する爪部の対応のパターンも複数設けられている。従って、作業者は、第一基板ボックスを固定しようとする位置に対応する被係止孔に、係止部の爪部を係止させることで、第一基板ボックスを適切な位置に位置決めした状態で容易に固定手段を被固定部に固定することができる。
【００１２】
本発明の第二態様に係る遊技機は、画像を表示する画像表示手段を正面に備えた外形略板状の画像表示ユニットと、遊技機の制御を司る基板を収納した外形略板状の第一基板ボックスおよび第二基板ボックスと、前記画像表示手段の周囲を取り囲み、且つ前記画像表示手段を支持する枠部とを備え、前記第一基板ボックスは、前記第一基板ボックスを前記画像表示ユニットの背面側に固定する固定手段が設けられる１または複数の固定部と、前記第一基板ボックスの周縁部に設けられ、前記第一基板ボックスを前記第二基板ボックスに連結する第一連結部とを備え、前記第二基板ボックスは、前記第二基板ボックスの周縁部に設けられ、前記第一基板ボックスの前記第一連結部に連結される第二連結部と、前記第二基板ボックスを前記枠部に固定する基板ボックス固定部とを備え、前記画像表示ユニットは、前記第一基板ボックスの前記固定部に設けられた前記固定手段が固定される被固定部を備え、前記被固定部は、前記第一基板ボックスの前記固定部に複数のパターンで対応可能な複数の位置に設けられており、前記固定部と前記被固定部の対応のパターンを変更することで、前記画像表示ユニットに対する前記第一基板ボックスの固定位置が変化し、前記枠部は、前記固定部と前記被固定部の対応の前記パターンに応じた複数の位置に設けられた基板ボックス被固定部を備え、前記基板ボックス固定部は、前記固定部と前記被固定部の対応の前記パターンに応じた位置にある前記基板ボックス被固定部に、固定されることを特徴とする。
この場合、第二基板ボックスは、枠部および第一基板ボックスによって遊技機に固定される。従って、遊技機は、第一基板ボックスおよび第二基板ボックスを共に強固且つ容易に固定することができる。
【図面の簡単な説明】
【００１３】
【図１】表枠１４および中枠１３が開放された状態のパチンコ機１の斜視図である。
【図２】センターカバー２３および遊技球タンク２５を取り外した状態の遊技盤２の背面図である。
【図３】画像表示ユニット３０、演出制御基板ボックス５０、サブ制御基板ボックス７０、およびランプドライバ基板ボックス８０を右斜め前方から見た斜視図である。
【図４】画像表示ユニット３０、および演出制御基板ボックス５０を左斜め後方から見た斜視図である。
【図５】画像表示ユニット３０と演出制御基板ボックス５０がパターンＡで固定される場合の位置関係を示す背面図である。
【図６】画像表示ユニット３０と演出制御基板ボックス５０がパターンＢで固定される場合の位置関係を示す背面図である。
【図７】図６におけるＤ−Ｄ線矢視方向部分断面図である。
【図８】パターンＡの場合とパターンＢの場合の画像表示ユニット３０の高さを比較するための右側面図である。
【発明を実施するための形態】
【００１４】
以下、本発明の一実施形態であるパチンコ機１について、図面を参照して説明する。まず、図１を参照して、パチンコ機１の概略構成について説明する。パチンコ機１は、外枠１２、中枠１３、および表枠１４を備える。外枠１２は、遊技場の島設備（図示せず）に設置される正面視略長方形状の枠部材である。中枠１３には遊技盤２が装着されている。表枠１４は、パチンコ機１の最前面に位置する。
【００１５】
中枠１３について説明する。中枠１３は、正面視略長方形状の金属製のアングル部材からなる。中枠１３の左柱部が、上ヒンジ１５および下ヒンジ１６を介して外枠１２の外枠左柱部１２Ｌ近傍に軸支される。その結果、中枠１３が外枠１２に対して略水平方向に回動可能（開閉可能）となる。中枠１３が開閉されることによって、中枠１３の中枠右柱部１３Ｒが外枠１２に対して着脱される。
【００１６】
遊技盤２は、中枠１３の上半分に装着されている。中枠１３の正面側における遊技盤２の下方には、上皿５が設けられている。上皿５の下方には下皿６が設けられている。下皿６の右側には、発射機による遊技球の発射を調整する発射ハンドル７が設けられている。遊技盤２の正面側には、正面視略矩形状の表枠１４が設けられている。
【００１７】
表枠１４について説明する。表枠１４は、正面視略長方形状である。表枠１４の略中央には円形の開口部が形成されている。開口部には、透明板であるガラス窓１７が嵌め込まれている。表枠１４の表枠左側端部１４Ｌは、中枠１３の左柱部の近傍に軸支されている。その結果、表枠１４は、中枠１３に対して略水平方向に回動（開閉）する。表枠右側端部１４Ｒは、中枠１３に対して着脱可能となっている。
【００１８】
表枠１４の左上部および右上部のそれぞれには、スピーカ１８が設けられている。スピーカ１８は、後述するサブ制御基板ボックス７０（図２等参照）が収納しているサブ制御基板（図示せず）に電気的に接続されており、サブ制御基板の制御によって様々な音を発生する。表枠１４の前面には、演出用の電飾ランプが多数設けられている。電飾ランプは、後述するランプドライバ基板ボックス８０（図２等参照）が収納しているランプドライバ基板（図示せず）に接続されており、ランプドライバ基板の制御によって発光する。
【００１９】
遊技盤２について説明する。遊技盤２の正面側の略中央には、図柄表示装置８が設けられている。図柄表示装置８は、液晶表示装置２０、ＬＥＤ等を備える。図柄表示装置８の下側には特別図柄始動電動役物２１が設けられている。特別図柄始動電動役物２１の下側には大入賞口２２が設けられている。発射機（図示せず）から発射された遊技球は、遊技盤２およびガラス窓１７によって形成される遊技領域４を流下する。特別図柄始動電動役物２１へ遊技球が入賞すると、大当たり判定が行われる。液晶表示装置２０では、大当たり判定の結果に応じた様々な演出が行われる。大当たりと判定されると、大入賞口２２が開放される大当たり遊技が実行されて、多数の遊技球が払い出される。これらの一連の遊技、演出等は、遊技盤２の背面側に配設された複数の制御基板によって制御される。
【００２０】
遊技盤２の背面側にはセンターカバー２３が設けられている。センターカバー２３は、各種制御基板を収納した複数の基板ボックスの背面側を覆って保護する。センターカバー２３の下方には、パチンコ機１を動作させるための様々な部品を保護する下部カバー２４が設けられている。さらに、センターカバー２３の上方には、遊技場の島設備から供給される遊技球を貯留する遊技球タンク２５が配設されている。
【００２１】
図２を参照して、遊技盤２の背面側の制御部２８について説明する。図２では、センターカバー２３および遊技球タンク２５（図１参照）は取り外されている。以下の説明では、図２の右側を制御部２８の左側、図２の左側を制御部２８の右側、図２の紙面奥側を制御部２８の正面側、図２の紙面手前側を制御部２８の背面側とする。遊技盤２の背面側には、外形略板状の画像表示ユニット３０、演出制御基板ボックス５０、サブ制御基板ボックス７０、ランプドライバ基板ボックス８０、およびメイン制御基板ボックス９０が配設されている。制御部２８は、演出制御基板ボックス５０、サブ制御基板ボックス７０、ランプドライバ基板ボックス８０、およびメイン制御基板ボックス９０によって構成される。
【００２２】
遊技盤２は枠部（裏箱）２９を備える。枠部２９は、背面視略矩形状の部材であり、図柄表示装置８（図１参照）等を正面側に開放させるための開口部（図示せず）を略中央に備える。画像表示ユニット３０は、液晶表示装置２０（図１および図３参照）を正面側に備える。画像表示ユニット３０は、枠部２９の開口部に液晶表示装置２０が位置するように、背面側から枠部２９に固定される。
【００２３】
演出制御基板ボックス５０は、外形略板状の箱型部材であり、内部に演出制御基板（図示せず）を収納する。演出制御基板は、画像表示ユニット３０の液晶表示装置２０に電気的に接続し、液晶表示装置２０の表示を制御する。サブ制御基板ボックス７０は、外形略板状の箱状部材であり、内部にサブ制御基板（図示せず）を収納する。サブ制御基板は、メイン制御基板ボックス９０内のメイン制御基板（図示せず）から制御コマンドを受信し、受信した制御コマンドに応じて、液晶表示装置２０、電飾ランプ、およびスピーカ１８による演出を総合的に制御する。ランプドライバ基板ボックス８０も、演出制御基板ボックス５０およびサブ制御基板ボックス７０と同様に、外形略板状の箱状部材である。ランプドライバ基板ボックス８０は、ランプドライバ基板（図示せず）を内部に収納する。ランプドライバ基板は、各電飾ランプの発光を制御する。メイン制御基板ボックス９０は、遊技の主制御（例えば、大当たり判定等）を司るメイン制御基板（図示せず）を内部に収納する。
【００２４】
パチンコ機１の外枠１２（図１参照）の形状は予め定められており、背面側の奥行きも限られているため、パチンコ機１の背面側のスペースは制限される。従って、制限されているスペースを有効活用するために、基板ボックスが画像表示ユニット３０の背面に固定されるのが一般的である。本実施形態では、演出制御基板ボックス５０、サブ制御基板ボックス７０、およびランプドライバ基板ボックス８０（以下、これらをまとめて「複数の基板ボックス」という場合がある。）が、画像表示ユニット３０の背面に接触した状態で固定される。メイン制御基板ボックス９０は、演出制御基板ボックス５０、サブ制御基板ボックス７０、およびランプドライバ基板ボックス８０の下方において枠部２９に固定される。センターカバー２３（図１参照）は、演出制御基板ボックス５０、サブ制御基板ボックス７０、ランプドライバ基板ボックス８０、およびメイン制御基板ボックス９０の背面側を覆うように装着される。
【００２５】
前述したように、センターカバー２３の上方には遊技球タンク２５を配置する必要がある（図１参照）。センターカバー２３の上端の位置が高すぎると、遊技球タンク２５を設けることができないため、センターカバー２３の上端の位置は制限される。また、メイン制御基板ボックス９０の位置を下げることも困難である。従って、演出制御基板ボックス５０、サブ制御基板ボックス７０、およびランプドライバ基板ボックス８０の固定位置は、センターカバー２３の上端からメイン制御基板ボックス９０の上端までの範囲に制限され、固定位置を上下にずらすことは困難である。
【００２６】
一方で、演出制御基板ボックス５０、サブ制御基板ボックス７０、およびランプドライバ基板ボックス８０の正面側に固定される画像表示ユニット３０の位置（特に、高さ）は、遊技機の機種に応じて変化する場合がある。よって、画像表示ユニット３０に対する複数の基板ボックスの固定位置を容易に変更できれば、画像表示ユニット３０および複数の基板ボックスを、形状の変更を加えることなく、異なる機種に共通して使用することができる。ただし、画像表示ユニット３０と複数の基板ボックスとの間に、固定位置を変更するための基板台等を介在させると、画像表示ユニット３０の背面側のスペースを有効に活用することが困難になる。本実施形態のパチンコ機１は、画像表示ユニット３０に対する複数の基板ボックスの固定構造に特徴を有する。以下、詳細について説明する。
【００２７】
画像表示ユニット３０について説明する。図３に示すように、画像表示ユニット３０は、液晶表示装置２０と支持板３１とを備える。液晶表示装置２０の形状は、正面視矩形の板状である。支持板３１は、略板状の部材であり、液晶表示装置２０の背面側に固定される。支持板３１の右端は、液晶表示装置２０の右端よりも右側へ延びている。
【００２８】
図３、図５、および図６に示すように、支持板３１の右上端および左上端には、画像表示ユニット３０を枠部２９（図２参照）に固定するためのクリップ（ナイラッチ）３２，３３が設けられている。クリップ３２，３３は、円柱状のプランジャと、プランジャの外周に設けられたグロメット（弾性体）とを備える。作業者は、枠部２９（図２参照）に形成された固定孔（図示せず）の位置とクリップ３２，３３の位置とを一致させて、クリップ３２，３３のプランジャの先端を正面側に押し込む。これにより、グロメットがプランジャの中心側に屈曲し、プランジャが固定孔に挿入される。グロメットが固定孔の正面側まで達すると、グロメットの屈曲が解除されて、クリップ３２，３３が固定孔に固定される。その結果、画像表示ユニット３０が枠部２９に固定される。なお、クリップ３２，３３の固定を解除する場合、作業者は、プランジャを背面側に引き抜けばよい。クリップ３２，３３の構造は適宜変更できる。例えば、弾性体は、軸部ではなく、枠部２９の固定孔に設けてもよい。
【００２９】
また、支持板３１の左側縁部における上下方向の中心には、螺子が挿通される挿通孔３４が設けられている。作業者は、枠部２９に形成された螺子孔（図示せず）の位置と挿通孔３４の位置とを一致させて、螺子（図示せず）を締め付けることで、画像表示ユニット３０を強固に枠部２９に固定することができる。
【００３０】
図４に示すように、支持板３１の背面側における中心よりもやや右上側には、第一螺子孔３５Ａおよび第一螺子孔３５Ｂが設けられている。第一螺子孔３５Ａは、第一螺子孔３５Ｂよりも上方に所定距離離間した位置に形成されている。また、図５および図６に示すように、支持板３１の背面側における右端の上部には、第二螺子孔３６Ａおよび第二螺子孔３６Ｂが上下に並べて設けられている。さらに、支持板３１の背面側における右端の下部には、第三螺子孔３７Ａおよび第三螺子孔３７Ｂが上下に並べて設けられている。２つの第二螺子孔３６Ａ，３６Ｂ間の距離、および、２つの第三螺子孔３７Ａ，３７Ｂ間の距離は、２つの第一螺子孔３５Ａ，３５Ｂ間の距離と等しい。第一螺子孔３５Ａ，３５Ｂ、第二螺子孔３６Ａ，３６Ｂ、および第三螺子孔３７Ａ，３７Ｂは、いずれも、支持板３１から背面側に突出した円柱状の突出部の中心に形成されている。
【００３１】
図４に示すように、支持板３１の背面側における中心よりもやや右下側には、被係止部４０が設けられている。被係止部４０は、挿入孔４１と、２つの被係止孔４２Ａ，４２Ｂとを備える。挿入孔４１は、後述する演出制御基板ボックス５０の係止部５６を背面側から挿入するための孔である。２つの被係止孔４２Ａ，４２Ｂは、挿入孔４１の左側において上下に並べて設けられている。２つの被係止孔４２Ａ，４２Ｂの距離は、２つの第一螺子孔３５Ａ，３５Ｂ間の距離、２つの第二螺子孔３６Ａ，３６Ｂ間の距離、および２つの第三螺子孔３７Ａ，３７Ｂ間の距離と等しい。被係止孔４２Ａ，４２Ｂには、後述する演出制御基板ボックス５０の爪部５９が正面側から係止される。
【００３２】
本実施形態では、挿入孔４１の形状は背面視矩形である。係止部５６が挿入された状態で演出制御基板ボックス５０が画像表示ユニット３０に対して上下に移動できるように、挿入孔４１の上下方向の幅は、係止部５６の延出部５８における上下方向の幅よりも広く形成されている。従って、作業者は、係止部５６を挿入孔４１に挿入したまま、爪部５９を係止させる孔を２つの被係止孔４２Ａ，４２Ｂの間で変更することができ、作業が容易である。しかし、挿入孔４１の形状は変更してもよい。例えば、爪部５９を被係止孔４２Ａに係止させる際に係止部５６が挿入される挿入孔と、被係止孔４２Ｂに係止させる際に係止部５６が挿入される挿入孔とを別々に設けてもよい。
【００３３】
演出制御基板ボックス５０について説明する。図４から図６に示すように、演出制御基板ボックス５０の左端の中心、右端のやや上側、および右端のやや下側には、外側へ延びる延出片５１が設けられている。３つの延出片５１の各々の中心には、螺子６０（図２参照）が挿通される挿通孔５２が形成されている。
【００３４】
演出制御基板ボックス５０の左端には、３つの第一連結部５３〜５５が設けられている。上部の第一連結部５３は、演出制御基板ボックス５０とランプドライバ基板ボックス８０とを連結する。中央部および下部の第一連結部５４，５５は、演出制御基板ボックス５０とサブ制御基板ボックス７０とを連結する。図４に示すように、本実施形態における第一連結部５３〜５５の外形は、左方（先端側）が開放された矩形箱状である。第一連結部５３〜５５の背面の後端部には、後述する第二連結部７１，７２，８１の爪を係止するための孔が形成されている。
【００３５】
図３および図４に示すように、演出制御基板ボックス５０の左端のやや下側には、画像表示ユニット３０に演出制御基板ボックス５０を係止させるための係止部５６が正面側に設けられている。図７に示すように、係止部５６は、突出部５７と、延出部５８と、爪部５９とを備える。突出部５７は、演出制御基板ボックス５０の本体から正面側に突出する。延出部５８は、突出部５７の先端部から左方に延びる板状の部材である。延出部５８が延びる方向は、前後方向に交差する方向であればよく、左方に限られない。また、延出部５８は突出部５７の先端から延びる必要は無い。爪部５９は、延出部５８の板面から背面側に突出する。本実施形態では、爪部５９の形状は略円板状であり、爪部５９の径は被係止孔４２Ａ，４２Ｂの径と一致する。爪部５９の背面側（先端側）の外周縁部は、先端側へ近づく程縮径するように面取りされている。従って、爪部５９は円滑に被係止孔４２Ａ，４２Ｂに嵌まり込む。
【００３６】
演出制御基板ボックス５０を画像表示ユニット３０に係止させる手順について説明する。図７に示すように、画像表示ユニット３０における被係止部４０の近傍では、液晶表示装置２０と、支持板３１の正面側の板面との間に空間３８が形成されている。作業者は、係止部５６の延出部５８を、挿入孔４１から空間３８に挿入する。次いで、画像表示ユニット３０に対する演出制御基板ボックス５０の固定位置に応じて、被係止孔４２Ａ，４２Ｂ（図４参照）のいずれかに爪部５９を係止させる。その結果、演出制御基板ボックス５０が画像表示ユニット３０に係止される。この場合、演出制御基板ボックス５０が背面側に向けて力を受けても、延出部５８が挿入孔４１と被係止孔４２Ａ，４２Ｂとの間に接触するため、演出制御基板ボックス５０は正面側に外れ難い。
【００３７】
サブ制御基板ボックス７０およびランプドライバ基板ボックス８０について説明する。図３に示すように、サブ制御基板ボックス７０における右端の上部および下部には、第二連結部７１，７２が設けられている。第二連結部７１は、演出制御基板ボックス５０の第一連結部５４に連結される。第二連結部７２は、第一連結部５５に連結される。サブ制御基板ボックス７０における左端の上部および下部には、サブ制御基板ボックス７０を枠部２９（図２参照）に固定するためのクリップ（ナイラッチ）７４，７５が設けられている。クリップ７４，７５の構造は、画像表示ユニット３０のクリップ３２，３３の構造と同じである。作業者は、枠部２９に形成された固定孔にクリップ７４，７５を押し込むことで、サブ制御基板ボックス７０の左端を枠部２９に固定することができる。
【００３８】
ランプドライバ基板ボックス８０における右端の中心には、第二連結部８１が設けられている。第二連結部８１は、演出制御基板ボックス５０の第一連結部５３に連結される。ランプドライバ基板ボックス８０における左端の中心にはクリップ（ナイラッチ）８３が設けられている。クリップ８３の構造は、画像表示ユニット３０のクリップ３２，３３の構造と同じである。作業者は、枠部２９に形成された固定孔にクリップ８３を押し込むことで、ランプドライバ基板ボックス８０の左端を枠部２９に固定することができる。
【００３９】
第二連結部７１，７２，８１の各々は、第一連結部５３〜５５の開放部分に嵌まり込むように、右方にコの字状に突出している。第二連結部７１，７２，８１の右端（先端）には、背面側に突出する爪が形成されている。作業者が第二連結部７１，７２，８１を第一連結部５３〜５５に左方から押し込むと、第二連結部７１，７２，８１の爪が第一連結部５３〜５５の孔に係止されて、第一連結部５３〜５５と第二連結部７１，７２，８１とが連結される。
【００４０】
画像表示ユニット３０および各基板ボックスの固定位置について説明する。図５および図６に示すように、演出制御基板ボックス５０には、螺子６０（図２参照）が挿通される３つの挿通孔５２が設けられている。画像表示ユニット３０には、螺子６０が固定（螺合）される第一螺子孔３５Ａ，３５Ｂ、第二螺子孔３６Ａ，３６Ｂ、および第三螺子孔３７Ａ，３７Ｂが設けられている。ここで、第一螺子孔３５Ａ，３５Ｂ、第二螺子孔３６Ａ，３６Ｂ、および第三螺子孔３７Ａ，３７Ｂは、演出制御基板ボックス５０の３つの挿通孔５２に複数（本実施形態では２つ）のパターンで対応可能な複数の位置に設けられている。詳細には、第一螺子孔３５Ａ、第二螺子孔３６Ａ、および第三螺子孔３７Ａの３つの螺子孔で挿通孔５２に対応するパターン（以下、「パターンＡ」という）と、第一螺子孔３５Ｂ、第二螺子孔３６Ｂ、および第三螺子孔３７Ｂの３つの螺子孔で挿通孔５２に対応するパターン（以下、「パターンＢ」という）とがある。
【００４１】
図５に示すように、パターンＡで螺子孔を挿通孔５２に対応させて螺子６０を締め付けると、演出制御基板ボックス５０の下端はクリップ３３の上部近傍の高さに位置する。また、図６に示すように、パターンＢで螺子孔を挿通孔５２に対応させて螺子６０を締め付けると、演出制御基板ボックス５０の下端はクリップ３３の下端近傍の高さに位置する。つまり、画像表示ユニット３０に対する演出制御基板ボックス５０の固定位置は、パターンＡの場合よりもパターンＢの場合の方が低くなる。よって、作業者は、螺子孔と挿通孔５２の対応のパターンを適宜設定するだけで、画像表示ユニット３０に対する演出制御基板ボックス５０の固定位置を変化させることができる。固定位置に応じて、画像表示ユニット３０の設計変更を行う必要が無い。また、画像表示ユニット３０と演出制御基板ボックス５０との間に基板台等を介在させる必要が無いため、画像表示ユニット３０の背面側のスペースを有効に活用することができ、且つ、装着の手順も単純である。
【００４２】
図８に示すように、演出制御基板ボックス５０の上端とセンターカバー２３の上端との位置関係は、パターンＡの場合もパターンＢの場合も同一である。しかし、パターンＡの場合は、パターンＢの場合よりも距離Ｘだけ高い位置に画像表示ユニット３０を位置させることができる。つまり、本発明によると、パターンＡとパターンＢのいずれかを選択するだけで、パチンコ機１における各基板（演出制御基板ボックス５０、サブ制御基板ボックス７０、ランプドライバ基板ボックス８０、およびメイン制御基板ボックス９０）の位置を変更することなく、パチンコ機１における画像表示ユニット３０の高さを変えることができる。
【００４３】
図４に示すように、演出制御基板ボックス５０は、右端および左端に設けられた３つの挿通孔５２に螺子６０（図２参照）が挿通されることで、画像表示ユニット３０に固定される。また、図３に示すように、サブ制御基板ボックス７０の第二連結部７１，７２が、演出制御基板ボックス５０の第一連結部５４，５５に連結される。さらに、ランプドライバ基板ボックス８０の第二連結部８１が、演出制御基板ボックス５０の第一連結部５３に連結される。従って、図２に示すように、本実施形態のパチンコ機１によると、画像表示ユニット３０の背面側のスペースの確保を容易にしつつ、演出制御基板ボックス５０、サブ制御基板ボックス７０、およびランプドライバ基板ボックス８０を異なる機種（液晶表示装置２０の位置が異なる機種）に容易に装着することができる。
【００４４】
図４に示すように、演出制御基板ボックス５０は、挿通孔５２、螺子６０（図２参照）、および螺子孔に加え、係止部５６によって画像表示ユニット３０の背面側に固定される。従って、作業者は、係止部５６を被係止部４０に係止させて、演出制御基板ボックス５０の位置決めを行った状態で、螺子６０を締め付けることができる。よって、作業者は、正確な位置に容易に演出制御基板ボックス５０を装着することができる。
【００４５】
詳細には、図７に示すように、係止部５６は、突出部５７と、延出部５８と、爪部５９とを備える。被係止部４０は、挿入孔４１と、被係止孔４２Ａ，４２Ｂとを備える。作業者は、係止部５６の延出部５８を挿入孔４１から挿入し、爪部５９を被係止孔４２Ａ，４２Ｂの一方に正面側から係止させる。この場合、演出制御基板ボックス５０が背面側へ向けて力を受けても、延出部５８が挿入孔４１と被係止孔４２Ａ，４２Ｂの間に接触するため、演出制御基板ボックス５０は正面側に外れ難い。従って、演出制御基板ボックス５０は、螺子等を用いることなく、係止部５６と被係止部４０によって強固且つ容易に画像表示ユニット３０に係止される。また、被係止孔４２Ａ，４２Ｂに対する爪部５９の対応のパターンも、複数（本実施形態ではパターンＡおよびパターンＢ）設けられている。よって、作業者は、演出制御基板ボックス５０を正確な位置に位置決めした状態で、容易に螺子を締め付けることができる。
【００４６】
図２に示すように、サブ制御基板ボックス７０の右端、およびランプドライバ基板ボックス８０の右端は、クリップ７４，７５，８３によって枠部２９に固定される。従って、パチンコ機１は、演出制御基板ボックス５０、サブ制御基板ボックス７０、およびランプドライバ基板ボックス８０の全てを強固且つ容易に固定することができる。なお、本実施形態では、枠部２９は合成樹脂によって形成される。従って、機種毎に枠部２９の形状を変更することは、比較的容易である。よって、クリップ７４，７５，８３を固定する固定孔（図示せず）は、パターンＡおよびパターンＢのいずれを採用するかに応じて適宜形成すればよい。しかし、クリップ７４，７５，８３を固定する固定孔として、パターンＡ用の固定孔と、パターンＢ用の固定孔とを共に枠部２９に形成してもよい。この場合、枠部２９も複数の機種に共通して使用することができる。
【００４７】
上記実施形態において、液晶表示装置２０が本発明の「画像表示手段」に相当する。演出制御基板ボックス５０が「第一基板ボックス」に相当する。サブ制御基板ボックス７０およびランプドライバ基板ボックス８０が「第二基板ボックス」に相当する。螺子６０が「固定手段」に相当する。挿通孔５２が「固定部」に相当する。第一螺子孔３５Ａ，３５Ｂ、第二螺子孔３６Ａ，３６Ｂ、および第三螺子孔３７Ａ，３７Ｂが「被固定部」に相当する。
【００４８】
本発明は、以上詳述した実施形態に限定されるものではなく、本発明の要旨を逸脱しない範囲内において種々の変更が可能であることは勿論である。例えば、上記実施形態の第一螺子孔３５Ａ，３５Ｂは、上下に２つ並べて設けられている。第二螺子孔３６Ａ，３６Ｂ、および第三螺子孔３７Ａ，３７Ｂも同様である。しかし、第一螺子孔３５Ａ，３５Ｂ、第二螺子孔３６Ａ，３６Ｂ、および第三螺子孔３７Ａ，３７Ｂの配置は適宜変更できる。例えば、横または斜めに並べて設けられていてもよい。また、１つの挿通孔５２に対応する螺子孔を３つ以上設けてもよい。この場合、螺子孔の配置は一直線上に並べなくてもよい。つまり、螺子孔は、挿通孔５２に複数のパターンで対応可能な複数の位置に設けられていればよい。
【００４９】
上記実施形態の演出制御基板ボックス５０は、右端に２つの挿通孔５２を備え、且つ、左端に１つの挿通孔５２を備える。従って、演出制御基板ボックス５０は、左右の両端において強固に画像表示ユニット３０に固定される。しかし、挿通孔５２の位置および数は適宜変更できる。例えば、図４に示すように、上記実施形態のパチンコ機１では、演出制御基板ボックス５０の左端に第一連結部５３〜５５が設けられている。従って、演出制御基板ボックス５０の左端の挿通孔５２を省略しても、左端は第一連結部５３〜５５によって強固に固定される。係止部５６も左端を固定する。よって、上記実施形態では、左端の挿通孔５２を省略することで、演出制御基板ボックス５０および画像表示ユニット３０の構成を簡素化でき、且つ、固定作業も容易になる。つまり、演出制御基板ボックス５０は、少なくとも第一連結部５３〜５５の反対側に挿通孔５２を備えていれば、安定した状態で固定される。また、挿通孔５２を上端に備え、且つ、第一連結部５３〜５５を下端に備えることも可能である。以上のように、挿通孔５２および第一連結部５３〜５５の配置は適宜変更できる。
【００５０】
第一連結部５３〜５５と第二連結部７１，７２，８１とを連結させるための構造も、適宜変更できる。例えば、第二連結部７１，７２，８１を第一連結部５３〜５５に圧入させることで、両者が連結される構造でもよい。フック等を係止させることで連結させることも可能である。また、本発明によって固定できる基板ボックスの種類および数が上記実施形態に限定されないことは勿論である。各構成の細部を変更できることも言うまでも無い。例えば、各螺子孔は貫通していてもよいし、貫通していなくてもよい。
【００５１】
上記実施形態のパチンコ機１では、画像表示ユニット３０と演出制御基板ボックス５０とが螺子６０によって固定される。しかし、螺子６０以外の固定手段を用いて画像表示ユニット３０と演出制御基板ボックス５０とを固定してもよい。例えば、螺子６０の代わりにクリップ（ナイラッチ）を用いてもよい。この場合、演出制御基板ボックス５０のうち、クリップを装着する部位が、本発明の「固定部」に相当する。画像表示ユニット３０のうち、クリップが挿入される挿入孔が、本発明の「被固定部」に相当する。
【符号の説明】
【００５２】
１    パチンコ機
２０    液晶表示装置
２５    遊技球タンク
２９    枠部
３０    画像表示ユニット
３１    支持板
３２，３３    クリップ
３５Ａ，３５Ｂ    第一螺子孔
３６Ａ，３６Ｂ    第二螺子孔
３７Ａ，３７Ｂ    第三螺子孔
４０    被係止部
４１    挿入孔
４２Ａ，４２Ｂ    被係止孔
５０    演出制御基板ボックス
５２    挿通孔
５３〜５５    第一連結部
５６    係止部
５７    突出部
５８    延出部
５９    爪部
６０    螺子
７０    サブ制御基板ボックス
７１，７２    第二連結部
７４，７５    クリップ
８０    ランプドライバ基板ボックス
８１    第二連結部
８３    クリップ
【図１】
0006024017.tif 000002
【図２】
0006024017.tif 000003
【図３】
0006024017.tif 000004
【図４】
0006024017.tif 000005
【図５】
0006024017.tif 000006
【図６】
0006024017.tif 000007
【図７】
0006024017.tif 000008
【図８】
0006024017.tif 000009